(57)【要約】【課題】タンク内給水時の騒音を効果的に低減することのできるタンク内給水装置を提供する。【解決手段】洗浄タンクの内部に配置されたボールタップ２２の吐水口５０から、タンク内の貯溜水よりも上方に位置で吐水してタンク内に給水を行うタンク内給水装置において、吐水口５０をタンク壁１４Ａに向けて配向させるとともに、タンク壁１４Ａの側には吐水口５０からの水流を通過させることで水流の勢いを減殺し落下させる緩衝部材５５を設けておく。その緩衝部材５５は、タンク壁１４Ａに向って吐水方向に延びる複数の板状部８４を備えた上部通水部８０と、タンク壁１４Ａに沿って延びる複数の板状部８８を備えた下部通水部８２とを有する、平面視形状が格子状のものとなしておく。【選択図】        図３
2012031616.tif 000002
【特許請求の範囲】
【請求項１】
洗浄タンクの内部に配置されたボールタップの吐水口から、タンク内の貯溜水よりも上方の位置で吐水してタンク内に給水を行うタンク内給水装置において、
前記吐水口を斜め下向きに配向させるとともに、該吐水口から吐水した水流を通過させ且つ通過時に水流の勢いを減殺して落下させる緩衝部材を前記洗浄タンクにおけるタンク壁の内側に設け、
該緩衝部材は、(ａ)平面視において前記吐水口からの吐水方向に延びる複数の板状部を備え、各板状部の間に複数のスリット状の水流通過空間を形成する上部通水部と、(ｂ)該上部通水部の下側の位置で前記吐水方向と交差する方向に延びる複数の板状部若しくは線状部を水流の当り部として備え、各当り部の間に水流の通過空間を形成する下部通水部と、を有する平面視形状が格子状のものとなしてあることを特徴とするタンク内給水装置。
【請求項２】
請求項１において、前記吐水口は前記タンク壁に向って斜め下向きの角度をなしていることを特徴とするタンク内給水装置。
【請求項３】
請求項１，２の何れかにおいて、前記緩衝部材を前記タンク壁と別体に構成して、該緩衝部材から取付用のブラケットを延び出させ、該ブラケットを前記ボールタップの本体部とタンク壁とで挟持する状態にタンク壁に固定してあることを特徴とするタンク内給水装置。
【発明の詳細な説明】
【技術分野】
【０００１】
この発明は洗浄タンクの内部に配置されたボールタップの吐水口から吐水し、タンク内に給水を行うタンク内給水装置に関し、詳しくは給水音を低減するための技術手段に特徴を有するものに関する。
【背景技術】
【０００２】
この種タンク内給水装置として、従来、図８に示すものが公知である（下記特許文献１に開示）。
図において２００は洗浄タンク，２０２はその内部に配置されたボールタップ、２０４はボールタップ２０２の吐水口から下向きに延びた吐水パイプである。
吐水パイプ２０４はタンク内の貯留水Ｗの内部に深く入り込んでおり、従ってこのタンク内給水装置では、ボールタップ２０２の吐水口からの吐水が貯留水Ｗの内部に静かに流入し、タンク内給水時の給水音が静かで騒音を発生させない利点を有する。
【０００３】
しかしながらこのタンク内給水装置の場合、タンク内の貯溜水Ｗがボールタップ２０２側に逆流するのを防止するための逆流防止機構を設けることが必要であり、これによりタンク内給水装置のコストが高くなってしまう問題がある。
【０００４】
この逆流防止機構を不要とするためには、ボールタップ２０２の吐水口とタンク内部の貯留水Ｗとの間に空間形成し、貯留水Ｗよりも上方位置の吐水口からタンク内に吐水し、給水を行うことが必要である。
但しこのとき吐水口から吐水した水流が貯留水Ｗの水面に勢い良く落下するとそのときに大きな着水音が発生し、これが給水騒音となってしまう。
【０００５】
その対策として、吐水口にメッシュ状の整流部材を２重，３重に設けておき、水流をそれら整流部材を通過させて吐水口から吐水し、タンク内に給水することも行われている。
例えば下記特許文献２に、この種のタンク内給水装置の例が開示されている。
このタンク内給水装置では、これら整流部材に水流を通すことで、その整流部材による流動抵抗で水流の勢いを減殺し、以て水流が貯留水Ｗの水面に落下したときの着水音を小さくする。
【０００６】
しかしながら一方でこのタンク内給水装置の場合、水流が整流部材を通過する際の流動抵抗で吐水性能に悪影響が及び、吐水口からの吐水の流量が少なくなってしまう。従って例えばボールタップからの給水を図８に示す手洗吐水管２０６に導いて、そこから手洗水を吐水させる形式のタンク内給水装置にあっては、手洗吐水管２０６の側にボールタップ２０２からの給水が多量に回り込んでしまい、手洗吐水管２０６からの手洗水が過剰になってしまうといった問題を生ずる。
【０００７】
また上記のような整流部材をボールタップの吐水口に２重，３重に設けておくとそこにゴミが溜り易く、而してそこにゴミが溜ってしまうと吐水性能は更に悪化し、またこの段階で手洗吐水管２０６の側に回り込む給水の量が急激に多くなってしまう。
【０００８】
他の対策として、ボールタップの吐水口をタンク壁に向けて配向しておき、吐水口からの水流をタンク壁に当てて、タンク壁に沿って流下させるといったことが考えられる。
この場合には水流がタンク壁に沿って流下し貯留水Ｗに流入するために、着水音は静かとなる。
【０００９】
ところがこの方式を本発明者が検討したところ、吐水口からの水流がタンク壁に当ったときに、例えばタンク壁が樹脂製のタンク壁であったりすると、タンク壁が水流の衝突により振動し、騒音を発生させてしまう問題の生じることが判明した。
【００１０】
尚本発明に対する他の先行技術として、下記特許文献３にはシスターンの壁面に海綿状の材料から成る緩衝材を、下部が貯留水に浸漬する状態に、壁面に固定しておき、その真上の位置にボールタップの吐水口を下向きに設けて、吐水口からの水流を緩衝材に当て、シスターンに給水するようになしたものが開示されている。
但しこの特許文献３に開示のものは、吐水口からの水流を緩衝する機構が本発明と異なっており、特許文献３に開示のものは本発明と別異のものである。
【先行技術文献】
【特許文献】
【００１１】
【特許文献１】特開２００２−１６７８３３号公報
【特許文献２】特開昭４８−３２３５０号公報
【特許文献３】実開昭５０−１１５７６３号公報
【発明の概要】
【発明が解決しようとする課題】
【００１２】
本発明は以上のような事情を背景とし、タンク内給水時の騒音を効果的に低減することのできるタンク内給水装置を提供することを目的としてなされたものである。
【課題を解決するための手段】
【００１３】
而して請求項１のものは、洗浄タンクの内部に配置されたボールタップの吐水口から、タンク内の貯溜水よりも上方の位置で吐水してタンク内に給水を行うタンク内給水装置において、前記吐水口を斜め下向きに配向させるとともに、該吐水口から吐水した水流を通過させ且つ通過時に水流の勢いを減殺して落下させる緩衝部材を前記洗浄タンクにおけるタンク壁の内側に設け、該緩衝部材は、(ａ)平面視において前記吐水口からの吐水方向に延びる複数の板状部を備え、各板状部の間に複数のスリット状の水流通過空間を形成する上部通水部と、(ｂ)該上部通水部の下側の位置で前記吐水方向と交差する方向に延びる複数の板状部若しくは線状部を水流の当り部として備え、各当り部の間に水流の通過空間を形成する下部通水部と、を有する平面視形状が格子状のものとなしてあることを特徴とする。
【００１４】
請求項２のものは、請求項１において、前記吐水口は前記タンク壁に向って斜め下向きの角度をなしていることを特徴とする。
【００１５】
請求項３のものは、請求項１，２の何れかにおいて、前記緩衝部材を前記タンク壁と別体に構成して、該緩衝部材から取付用のブラケットを延び出させ、該ブラケットを前記ボールタップの本体部とタンク壁とで挟持する状態にタンク壁に固定してあることを特徴とする。
【発明の作用・効果】
【００１６】
以上のように本発明は、ボールタップの吐水口から斜め下向きに吐水するようになすとともに、吐水口からの水流を通過させ且つその通過時に水流の勢いを減殺して落下させる緩衝部材をタンク内に設けたものである。
【００１７】
ここで緩衝部材は、平面視において吐水口からの吐水方向に延びる複数の板状部を備え、各板状部の間に複数のスリット状の水流通過空間を形成する上部通水部と、その下側の位置で吐水方向と交差する方向（平面視において）に延びる複数の板状部若しくは線状部を水流の当り部として備え、各当り部の間に水流の通過空間を形成する下部通水部とを有する、全体として平面視形状が格子状のものとなしてある。
【００１８】
本発明のタンク内給水装置では、吐水口からの水流が先ず緩衝部材の上部通水部に到ってこれを通過する。
このとき、上部通水部では複数の板状部が吐水方向に延びているため、吐水口からの水流がこれらの板状部に当って水跳ねを生じるといったことはなく、各板状部により整流作用を受けながら板状部間のスリット状の通水空間を通じて下側へと流れる。
その際に水流は板状部の板面に接触しながらこれに沿って流れるため、それら板状部による流動抵抗によって水流の勢いが減殺される。
【００１９】
上部通水部を通過した水流は次に下側の下部通水部へと到るが、この下部通水部の複数の板状部若しくは線状部は吐水方向と交差する方向に延びているため、上部通水部を通過することで一旦勢いの低下した水流がこれら板状部若しくは線状部に当って、そこで更に水流の勢いが減殺される。
【００２０】
水流がこの下部通水部の板状部若しくは線状部に当る段階では、既に水流の勢いが上部通水部を通過することで弱くなっているため、水流が下部通水部の板状部若しくは線状部に当ったときに水跳ねの生じるのが抑制されるのに加えて、たとえ下部通水部において水跳ねが生じたとしても、その水跳ねは上部通水部の複数の板状部に当ることによって緩衝部材内部で吸収され、従って緩衝部材から外部に向けて水跳ねが周辺に飛び散るといったことが防止される。
【００２１】
その結果吐水口から吐水された水流は、タンク内に設けられた緩衝部材を通過する過程で勢いが十分に弱められた上で下方に落下せしめられる。
これによりタンク内給水時に吐水口からの水流がタンク内の貯留水に強い勢いで着水して大きな着水音を発生するといったことがなく、給水音を効果的に低減することができる。
【００２２】
本発明では、緩衝部材によって吐水口からの水流の勢いを十分に減殺した上で下方に静かに落下させることができるため、吐水口に水流の勢いを弱めるためのメッシュ状の整流部材を２重，３重に設けておく必要はなく、従ってそれら整流部材による流動抵抗によって吐水口からの吐水の流量が減少し、吐水性能が悪化してしまうのを防ぐことが可能である。またそれら整流部材にゴミ詰まりが生じて、そのことにより吐水流量が更に減少してしまう問題も解決することができる。
【００２３】
本発明では、下部通水部を、吐水方向と交差する方向に延びる線状部と、更にこれに対して交差する方向に延びる線状部とを有するメッシュ状の部材として構成しておくこともできる。
但し下部通水部においては、吐水方向と交差する方向に延びる複数の板状部を設けておき、これを水流の当り部となしておくことが望ましい。
このようにすれば、上部通水部を通過した水流に対して下部通水部の板状部を面で当てることができ、その勢いをより効果的に減殺することができる。
【００２４】
本発明では、上記吐水口をタンク壁に向って斜め下向きの角度で設けておくことができる（請求項２）。
【００２５】
次に請求項３は、上記緩衝部材をタンク壁と別体に構成して、緩衝部材から取付用のブラケットを延び出させ、そのブラケットをボールタップの本体部とタンク壁とで挟持する状態にタンク壁に固定するようになしたもので、この請求項３によれば、ボールタップそのものがブラケットの取付部材となり、ボールタップの本体部をタンク壁に固定すると同時にブラケットをタンク壁に固定し、緩衝部材を所定の目的とする位置に位置させることができる。
この請求項３によれば、ブラケット取付けのための専用の特別の部材を不要となし得、またタンク壁に対して後付けで緩衝部材を簡単に設けることができる利点が得られる。
【図面の簡単な説明】
【００２６】
【図１】本発明の一実施形態のタンク内給水装置を含む洗浄タンクを一部切り欠いて内部を示した図である。
【図２】図１の洗浄タンクの要部の平面断面図である。
【図３】同要部の斜視図である。
【図４】図２，図３の要部を分解して示した斜視図である。
【図５】同実施形態における緩衝部材をブラケットとともに示した図である。
【図６】図５の緩衝部材の要部を拡大して示した斜視図である。
【図７】本発明の他の実施形態の要部を示した図である。
【図８】従来のタンク内給水装置の一例を含む洗浄タンク内部を示した図である。
【発明を実施するための形態】
【００２７】
次に本発明の実施形態を図面に基づいて詳しく説明する。
図１において、１０は洗浄タンクで樹脂製のアウタタンク１２と、その内側の樹脂製のインナタンク１４との２重タンク構造をなしている。
アウタタンク１２の上部には、その蓋を兼用した樹脂製の手洗鉢１６が設けられており、この手洗鉢１６から起立する形態で手洗吐水管１８が手洗鉢１６に設けられている。
手洗鉢１６の底部には排水口２０が設けられており、手洗吐水管１８から吐水された手洗水が、この排水口２０から洗浄タンク１０内部へと落下する。
【００２８】
２２は洗浄タンク１０内部に配設されたボールタップ、２４はその本体部である。
本体部２４はインナタンク１４に取り付けられており、そしてその本体部２４に対して外部給水管２６が接続されている。
外部給水管２６を通じて供給された水は、ボールタップ２２の給水弁の開弁によって洗浄タンク１０内部に給水され、また給水弁の閉弁によって給水停止される。
【００２９】
ボールタップ２２は、洗浄タンク１０内部の洗浄水の水位に連動して昇降するフロート２８と、フロート２８と給水弁とを連繋する連繋アーム３０とを有している。
また連繋アーム３０は、アーム部３２と、その先端から下向きに延びる軸部３４とを有しており、その軸部３４に対してフロート２８が組み付けられている。
【００３０】
洗浄タンク１０の外側面には洗浄ハンドル３６が回転可能に設けられている。
３８は、洗浄タンク１０内部において洗浄ハンドル３６に連動して回動する、Ｌ字状をなす作用レバーで、その先端が鎖４０を介して図示を省略する排水弁に連結されている。
その排水弁は、洗浄ハンドル３６の回転操作によって閉弁状態から開弁させられ、これにより洗浄タンク１０内部に貯えられている洗浄水が、洗浄タンク１０底部の排出口から便器に向けて勢い良く排出せしめられる。
【００３１】
本体部２４には、図中右端側に補給水管（ここではゴムチューブ）４８が接続されている。
補給水管４８は、便器に補給水を供給するためのもので、図１に示しているようにその先端側がアダプタを介して洗浄タンク１０内部のオーバーフロー管４２に組み付けられ、補給水管４８からの補給水がオーバーフロー管４２内に流入するようになっている。
【００３２】
上記本体部２４には、タンク内に吐水し給水を行う吐水口５０と、手洗吐水管１８に給水を行う給水口５２（図３参照）とが設けられている。
５４は、給水口５２からの水を手洗吐水管１８に導くための蛇腹管から成る導管で、一端側が給水口５２に、また他端側が手洗吐水管１８に接続されている。
【００３３】
この実施形態では、ボールタップ２２の上記の給水弁が開弁することによって、吐水口５０からタンク内に吐水が行われる。また給水口５２から導管５４を経て手洗吐水管１８に給水され、そこから手洗鉢１６に向けて手洗水が吐水される。
また給水弁が閉弁することによってそれら吐水口５０，給水口５２からの吐水及び給水が停止する。
【００３４】
図３（Ａ）に示しているように、吐水口５０及び給水口５２は何れもインナタンク１４のタンク壁１４Ａに向けて４５°の角度で斜め下向きに設けられている。
尚、手洗吐水管１８を備えないタイプの洗浄タンク１０においては給水口５２に対して導管５４は接続されず、給水口５２はそのまま開放状態とされる。
この場合には、外部給水管２６を通じて送られて来た水は給水口５２から直接タンク内に吐水される。即ちこの場合には給水口５２は第２の吐水口として働く。
尚この実施形態において、吐水口５０及び給水口５２の何れにもメッシュ状の整流部材は取り付けられておらず、それら吐水口５０及び給水口５２は全体的に開放ままとされている。
【００３５】
タンク壁１４Ａの側には、タンク壁１４Ａに向って吐水口５０又は吐水口５０と給水口５２とから（手洗吐水管１８を有しない場合）吐水した水流を通過させ、そしてその通過時に水流の勢いを減殺して落下させる緩衝部材５５が設けられている（但し以下は吐水口５０を通じてのみタンク内に吐水が行われるものとして説明する）。
【００３６】
この実施形態では、緩衝部材５５から、途中で直角に折れ曲った形態の板状のブラケット５６が延び出しており、このブラケット５６がタンク壁１４Ｂに取付固定されることで、緩衝部材５５がタンク壁１４Ａ側に設けられている。
ブラケット５６は、図４及び図５に示しているようにタンク壁１４Ｂへの固定部５８に、４角形状の貫通の開口６０が設けられている。
【００３７】
一方、図４に示しているようにタンク壁１４Ｂにも対応する４角形状の貫通の開口６２が設けられており、ブラケット５６は固定部５８を、貫通の４角形状の開口６４を有するパッキン６６を介してタンク壁１４Ｂに密着させる状態に、ボールタップ２２の本体部２４とタンク壁１４Ｂとに挟持される状態に、抜止クリップ６８にてタンク壁１４Ｂに固定されている。
【００３８】
詳しくは、図４及び図２に示しているようにボールタップ２２の本体部２４には、タンク内に位置する４角形状のフランジ部７０と、タンク外に位置する円形のフランジ部７２とが設けられ、そしてフランジ部７２とタンク壁１４Ｂの開口６２周りの厚肉の縁部７４との間に抜止クリップ６８が差し込まれることで、ボールタップ２２の本体部２４がタンク壁１４Ｂに固定され、またこのとき同時に、ブラケット５６の固定部５８がパッキン６６を介して本体部２４のフランジ部７０とタンク壁１４Ｂとに挟み込まれ、挟持される状態にタンク壁１４Ｂに固定されている。
【００３９】
尚、本体部２４には４角形状の嵌合部７６が設けられており、この嵌合部７６がタンク壁１４Ｂの開口６２に嵌合せしめられている。これにより本体部２４がタンク壁１４Ｂに対し回転方向に位置決めされている。
ここで本体部２４は、図２に示しているようにインナタンク１４の外部において接続クリップ７８にて外部給水管２６と接続されている。
【００４０】
上記緩衝部材５５は、吐水口５０（及び給水口５２）から吐出する水流の軌跡上に位置せしめられている。
図３及び図６に、この緩衝部材５５の構造が詳しく示してある。
図に示しているようにこの緩衝部材５５は、上部通水部８０と下部通水部８２とを有している。
【００４１】
上部通水部８０は、平面視においてタンク壁１４Ａに直交する方向にタンク壁１４Ａに向って且つ吐水口５０からの吐水方向に、互いに等間隔で平行に延びる複数の板状部８４を備えており、各板状部８４と８４との間に複数のスリット状の水流通過空間８６を形成している。
この実施形態において、その水流通過空間８６の幅は２ｍｍとされている。
【００４２】
一方下部通水部８２は、上部通水部８０の各板状部８４と直交する方向（平面視で吐水方向と直交方向）に延びる、即ちタンク壁１４Ａに沿ってこれと平行方向に延びる水流の当り部としての複数の板状部８８を備え、そして各板状部８８の間にスリット状の水流通過空間９０を形成している。
ここで下部通水部８２の各板状部８８もまた、一定間隔で互いに平行をなす状態に延びている。
この下部通水部８２における水流通過空間９０もまた幅２ｍｍとされている。
【００４３】
緩衝部材５５において、上部通水部８０の各板状部８４と下部通水部８２の各板状部８８とは、図５（Ｃ）に示しているように平面視形状が格子状をなしている。
尚、緩衝部材５５の図中左右の各端部は板状の閉鎖部９２にて閉鎖されている。
【００４４】
この実施形態では、吐水口５０から吐出された水流は先ず緩衝部材５５における上部通水部８０を通過して流れる。
このとき上部通水部８０における各板状部８４は、タンク壁１４Ａと直交方向且つ吐水口５０からの吐水方向を向いているため、吐水口５０からの水流は上部通水部８０における板状部８４に対してそれらの板面に直角に当るといったことはなく、各板状部８４と８４との間のスリット状の通水空間８６の内部にほぼそのまま流れ込む。
【００４５】
従って水流が上部通水部８０に到ったときにそこで水跳ねを生じることは殆んど無く、上部通水部８０に到った水流は各板状部８４にて整流作用を受けつつ、板状部８４の板面に沿ってスリット状の通水空間８６を下向きに流れる。
このとき吐水口５０からの水流は、板状部８４の各板面が水流に対する流動抵抗として作用するため、上部通水部８０を通過する過程でその勢いが減殺される。
【００４６】
上部通水部８０を通過した水流は、次にその下側の下部通水部８２に到ってこれを通過し流れる。
このとき、下部通水部８２においては各板状部８８がタンク壁１４Ａと平行方向の向きをなしているため、尚且つ各板状部８８が垂直向きをなしているため（上部通水部８０の各板状部８４も垂直向きをなしている）、上部通水部８０を通過した水流は下部通水部８０の各板状部８８に対して、その板面に斜め下向きの角度で当り、そこで水流の勢いが大きく減殺される。
【００４７】
このとき、水流は上部通水部８０を通過することですでに勢いが弱められているために、下部通水部８２の板状部８８の板面に当ったとしても水跳ねが抑制されるのに加えて、この下部通水部８２の上側には上部通水部８０における複数の板状部８４が僅かな間隔で並び、下部通水部８２から立ち上っているため、たとえ部分的な水跳ねが生じたとしてもその水跳ねは上部通水部８０の各板状部８４に当ることによってそこで消失し、緩衝部材５５の外部に向けて水跳ねが飛び散るといったことは殆んど生じない。
このようにして吐水口５０からの水流は、緩衝部材５５を通過することでそこで勢いが減殺され、柔らかな流れとなって下方のタンク内の貯留水Ｗに流入する。
ここで上部通水部８０は、下部通水部８２よりも高さを高くしてある。下部通水部８２は主として水を分散させる部分であり、高さはそれほど必要ない。
一方上部通水部８０は水跳ねを防止する部分であり、この意味で高さは高い方が望ましい。
【００４８】
以上のような本実施形態では、緩衝部材５５によって吐水口５０からの水流の勢いを十分に減殺した上で下方に静かに落下させることができ、タンク内給水時の給水音を低減することができる。
また吐水口５０に水流の勢いを弱めるためのメッシュ状の整流部材を２重，３重に設けておく必要はなく、従ってそれら整流部材による流動抵抗によって吐水口５０からの吐水の流量が減少し、吐水性能が悪化してしまうのを防ぐことが可能である。またそれら整流部材にゴミ詰まりが生じて、そのことにより吐水流量が更に減少してしまう問題も解決することができる。
【００４９】
更にこの実施形態によれば、ブラケット５６取付けのための専用の特別の部材を不要となし得、またタンク壁１４Ａに対して後付けで緩衝部材５５を簡単に設けることができる利点が得られる。
【００５０】
以上本発明の実施形態を詳述したがこれはあくまで一例示である。
例えば上部通水部８０における上記の板状部８４は、必ずしも平面視において吐水方向と厳密に同一方向（上記実施形態ではタンク壁１４Ａと直交方向）でなくても良く、多少傾いた角度で設けておくこともできる。
【００５１】
更に下部通水部８２における上記板状部８８もまた、吐水方向と厳密に直交方向（上記実施形態ではタンク壁１４Ａと平行方向、つまり上部通水部８０の板状部８４と直交方向）でなくても良く、図７（Ａ）に示すように多少傾きを持たせ、全体で同図に示すような格子状をなすようにすることも可能である。
これらの場合において、板状部８４は吐水方向（上記実施形態ではタンク壁１４Ａと直交方向）とのなす角度を３０°以下となしておくのが望ましい。
また下部通水部８２の板状部８８は、吐水方向と直交方向（上記実施形態ではタンク壁１４Ａと平行方向）に対する角度を４５°以内となしておくことが望ましい。
【００５２】
更に、図７（Ｂ）に示すように板状部８８を互いに異なる２方向に設けて板状部８８と板状部８４とで全体として格子状をなすようにするといったことも可能である。
また緩衝部材５５における下部通水部８２の水流の当り部を線状の部材で構成することもできるし、またその際に下部通水部８２をメッシュ状に構成しておくことも可能である。
【００５３】
その他、本発明においては緩衝部材５５をタンク壁１４Ａに直接一体的に設けておくといったことも可能であるし、更に緩衝部材５５をタンク壁以外のタンク内の位置に設けておくことも可能である等、本発明はその趣旨を逸脱しない範囲において種々変更を加えた形態で構成可能である。
【符号の説明】
【００５４】
１０  洗浄タンク
１４  インナタンク
１４Ａ，１４Ｂ  タンク壁
２２  ボールタップ
２４  本体部
５０  吐水口
５５  緩衝部材
５６  ブラケット
８０  上部通水路
８２  下部通水路
８４，８８  板状部
８６，９０  水流通過空間
【図１】
2012031616.tif 000003
【図２】
2012031616.tif 000004
【図３】
2012031616.tif 000005
【図４】
2012031616.tif 000006
【図５】
2012031616.tif 000007
【図６】
2012031616.tif 000008
【図７】
2012031616.tif 000009
【図８】
2012031616.tif 000010